(57)【要約】      （修正有）【課題】ろうそくを収容する缶本体の温度が上がりにくく、転倒しにくい構造とする、缶入りろうそくを提供する。【解決手段】ろうそく３０を収容するアルミニウム製の容器２０を、空隙が形成されるように、鉄製の缶本体１０の中に収容する。缶本体１０は、その径よりも高さが低くなるように形成される。また、容器２０の底面２１と、缶本体１０の底面１２との間には、断熱タイル２５が配置され、容器２０と缶本体１０とが、断熱タイル２５を介して固着される。更に、缶本体１０内部に、容器２０と共にマッチ４０を収容して、蓋体１１により密閉閉塞する。【選択図】図１
0003195816.tif 000002
【実用新案登録請求の範囲】
【請求項１】
ろうそくを収容する容器と、
前記容器を収容する缶本体と、
前記容器の底面と前記缶本体の底面との間の一部に設けられた断熱部材と、
前記缶本体に収容された着火部材と、
前記缶本体の上部に設けられて前記缶本体を密封閉塞する蓋体と、を備え、
前記容器と前記缶本体との間に空隙が形成され、且つ、前記缶本体を形成する材料の熱伝導率が前記容器を形成する材料の熱伝導率より低いことを特徴とする缶入りろうそく。
【請求項２】
前記容器は、アルミニウム製であり、前記缶本体は、鉄製であることを特徴とする請求項１に記載の缶入りろうそく。
【請求項３】
前記缶本体の底面の径に対して、前記缶本体の高さが低いことを特徴とする請求項１または２に記載の缶入りろうそく。
【請求項４】
平面視において前記容器の上端部に切欠き部が形成されており、当該切欠き部において前記容器と前記缶本体の間に前記空隙の開口が形成されていることを特徴とする請求項１〜３のいずれか１項に記載の缶入りろうそく。
【考案の詳細な説明】
【技術分野】
【０００１】
本考案は、保存可能な缶入りろうそくに関するものである。
【背景技術】
【０００２】
災害時やレジャー時等において、照明として用いられるろうそくを長期間にわたって保存可能な缶入りろうそくが実用に供されている（特許文献１参照）。
このような缶入りろうそくは、ろうそくが密封されて缶に収容されているため、ろうそくが湿気を帯びることなく、災害時やレジャー時等において、缶を開けて使用することができるものである。
【先行技術文献】
【特許文献】
【０００３】
【特許文献１】特開平９−１１９６０８号公報
【考案の概要】
【考案が解決しようとする課題】
【０００４】
しかし、従来用いられている缶入りろうそくは、ろうそくが缶の内部に収容されているため、点火されたろうそくの炎による加熱によって、ろうそくを収容する缶本体の温度が上がり、缶本体を断熱シートや皿の上に置くなどしなければ安全に使用することができないという欠点があった。
【０００５】
解決しようとする問題点は、ろうそくを収容する缶本体の温度が上がるため、安全に使用することができない点である。
【課題を解決するための手段】
【０００６】
上記課題を解決するために、本考案の缶入りろうそくは、ろうそくを収容する容器と、前記容器を収容する缶本体と、前記容器の底面と前記缶本体の底面との間の一部に設けられた断熱部材と、前記缶本体に収容された着火部材と、前記缶本体の上部に設けられて前記缶本体を密封閉塞する蓋体と、を備え、前記容器と前記缶本体との間に空隙が形成され、且つ、前記缶本体を形成する材料の熱伝導率が前記容器を形成する材料の熱伝導率より低いことを特徴とする。
【０００７】
これにより、缶本体と容器の二層構造になっており、また、缶本体の底面と容器の底面との間に部分的に断熱部材が設けられており、缶本体と容器との間に空隙が形成されている。そして、缶本体を形成する材料の熱伝導率が容器を形成する材料の熱伝導率よりも低くなるように形成されている。そのため、缶本体の蓋体を開缶して、容器に収容されたろうそくを点火した際に、空隙の間で空気の対流が発生すると共に、上方に流れた空気が容器の上端部と缶本体の開口部との間に形成された空隙から外に排出される。以上により、内側に配置された容器から外側に配置された缶本体に熱が伝わりにくく、外側に配置された缶本体の温度が上がりにくい構造になっている。従って、缶入りろうそくを安全に使用することができる。
【０００８】
ここで、上記缶入りろうそくにおいて、前記容器は、アルミニウム製であり、前記缶本体は、鉄製であって良い。
【０００９】
これにより、例えば、鉄製の缶本体の熱伝導率が５３Ｗ／（ｍ・Ｋ）であり、アルミニウム製の容器の熱伝導率が２００Ｗ／（ｍ・Ｋ）となり、缶本体の熱伝導率が容器の熱伝導率より低くなるように形成することができる。
【００１０】
ここで、上記缶入りろうそくにおいて、前記缶本体の底面の径に対して、前記缶本体の高さが低くても良い。
【００１１】
缶入りろうそくは、災害場所や屋外等で使用されることが多いため、安定した場所に設置できるとは限らず、ろうそくの形状に合わせて、底面の径よりも高い高さで感が形成された缶入りろうそくは倒れやすく、安全に使用することができないという欠点があった。これに対し、上記構成により、本発明の缶入りろうそくは、缶本体の高さに対して、缶本体の底面の径が大きく、缶入りろうそくが転倒しにくい構造になっている。従って、安全に使用することができる。
【００１２】
ここで、上記缶入りろうそくにおいて、平面視において前記容器の上端部に切欠き部が形成されており、当該切欠き部において前記容器と前記缶本体の間に前記空隙の開口が形成されていても良い。
【００１３】
これにより、切欠き部によって大きな開口が確保される。このため、ろうそくの点灯中に容器と缶本体の間で熱せられた空気が開口を通じて外部へと放出されやすい。よって、缶本体の温度がより上がりにくい構造になっている。
【考案の効果】
【００１４】
本考案の缶入りろうそくは、ろうそくを収容する缶本体の温度が上がりにくい構造になっており、安全に使用することができる利点がある。
【図面の簡単な説明】
【００１５】
【図１】本考案に係る缶入りろうそくの一実施形態を示した縦断面図であり、図２に示すＹ−Ｙ断面図である。
【図２】本考案に係る缶入りろうそくの一実施形態を示した上面図である。
【図３】本考案に係る缶入りろうそくの一実施形態を示した横断面図であり、図１に示すＸ−Ｘ断面図である。
【図４】本考案に係る缶入りろうそくの別の実施形態を示した上面図である。
【考案を実施するための形態】
【００１６】
本考案に係る缶入りろうそくは、安全に使用するという目的を、ろうそくを収容する缶本体の温度が上がりにくく、また、転倒しにくい構造にすることにより実現した。
【００１７】
以下、本考案の実施形態について図面を用いて説明する。なお、本考案は、以下に説明するような実施形態に限定されるものではなく、本考案の趣旨を逸脱しない範囲で種々の態様が含まれる。
【００１８】
図１は、本考案に係る缶入りろうそくの一実施形態を示す縦断面図であり、図２に示す本考案に係る缶入りろうそくを示した上面図におけるＹ−Ｙ断面図である。図３は、本考案に係る缶入りろうそくを示した横断面図であり、図１に示すＸ−Ｘ断面図である。
【００１９】
図１に示すように、缶入りろうそく１は、ろうそく３０を収容する容器２０と、容器２０を収容する缶本体１０と、容器２０の底面２１と缶本体１０の底面１２との間の一部に設けられた断熱タイル（断熱部材）２５と、缶本体１０に収容されたマッチ（着火部材）４０と、缶本体１０の上部に設けられた蓋体１１と、を備える。
【００２０】
容器２０は、円盤状の板材で形成された底面２１を底部に有し、上部が開口する円筒状に形成され、底面２１から開口に至るまで径が徐々に広がるように、底面２１と一体に構成されている。尚、本実施形態では、底面２１は、容器２０に一体に構成されているが、巻締めにより構成されていても良い。また、本実施形態では、容器２０は、底面２１から開口に至るまで径が徐々に広がるように形成されているが、それに限らず、径が一定の円筒状に形成されていても良い。
【００２１】
容器２０は、例えば、アルミニウムで形成される。尚、容器２０は、アルミニウム製に限らず、熱伝導率が缶本体１０よりも高い材料であれば、他の金属により形成されていても良い。
【００２２】
容器２０には、芯部３１とろう部３３とからなるろうそく３０が収容されている。芯部３１は、容器２０の略中心部に安定して保持されるように、容器２０の底面２１よりも小さい円盤３２上に直立して配置される。芯部３１は、長時間使用することができるように、遅燃性の芯線（例えば、銅製や亜鉛製の熱伝導体）に、可燃性の被覆材（例えば、木綿等の天然繊維）を巻き付けて、形成されていることが好ましい。ろう部３３は、芯部３１の周囲を囲むように、加熱して溶融させた状態で容器２０に詰め、冷却して固化させることにより形成される。これにより、ろうそく３０は、容器２０に固着される。
【００２３】
缶本体１０は、容器２０を収容しつつ、容器２０との間に空隙２を形成するべく、容器２０の上端部の径よりも大きい径の円筒状で形成される。そして、缶本体１０は、その底部に巻締めにより円盤状の板材で形成された底面１２が気密的に取り付けられる。
【００２４】
缶本体１０は、例えば、鉄で形成される。尚、缶本体１０は、鉄製に限らず、熱伝導率が容器２０よりも低い材料であれば、他の金属により形成されていても良い。
【００２５】
ここで、缶本体１０の底面１２の径は、缶本体１０の高さよりも大きいことが好ましい。缶入りろうそく１が転倒しにくくなり、安全に使用することができるからである。
【００２６】
図２に示すように、蓋体１１は、缶本体１０の上部に形成される開口部１４を密封閉塞するものであり、缶本体１０と共に巻締めされて形成される。蓋体１１は、例えば、プルトップ式に形成して、上面に配置されたプルタブ１３を引っ張ることにより開口させるようにしても良い。蓋体１１をプルトップ式に形成することにより、開缶が容易となる。このように構成することにより、容器２０に収容されたろうそく３０が缶本体１０内に密閉された状態で、缶入りろうそく１が完成する。そのため、内部のろうそく３０に、影響を与えることなく、長期の保存が可能となる。
【００２７】
図１及び図３に示すように、缶本体１０の底面１２と容器２０の底面２１との間には、複数（本実施形態では３枚）の断熱タイル２５が配置されている。ここで、断熱タイル２５の両表面には、例えば、接着剤が塗布されており、缶本体１０と容器２０との間に空隙２が形成される状態で、缶本体１０の底面１２と容器２０の底面２１とを固着することが好ましい。尚、断熱部材は、本実施形態では、断熱タイル２５であるが、その他の断熱材であっても良い。また、断熱タイル２５は、図３に示す形状や数に限らず、缶本体１０の底面１２と容器２０の底面２１との間に空隙２を形成することができる形状や数であれば良い。また、断熱タイル２５は、図３に示す位置への配置に限らず、缶本体１０の底面１２と容器２０の底面２１との間の一部に配置されるものであれば、どのような場所に配置されていても良い。
【００２８】
また、缶本体１０内の容器２０に収容されたろうそく３０の上面には、ろうそく３０を着火するための着火部材であるマッチ４０が収容されている。本実施形態では、着火部材としてマッチ４０としているが、それに限らず、ライターであっても良い。また、マッチ４０を、ろうそく３０の上面に配置しているが、それに限らず、容器２０と缶本体１０との間の空隙２に配置して、缶本体内１０に収容しても良い。マッチやライター等の小型のものを缶本体１０内へろうそく３０と共に収納することにより、缶入りろうそくの使用時に、開缶後、すぐにろうそくに点火することができるため、簡便性を得ることができる。また、缶本体１０にマッチ４０を密閉された状態で、缶入りろうそく１が完成するため、湿気を防止して、吸湿等によるマッチ４０の不点火を防止することができる。
【００２９】
そして、缶入りろうそく１を使用する際には、蓋体１１に設けられたプルトップ式のプルタブ１３を引き上げることにより、缶本体１０の蓋体１１を開缶する。そして、缶本体１０の開口部１４から露出した容器２０内のろうそく３０に、缶本体１０内に収納されたマッチ４０で点火する。ここで、鉄製の缶本体１０の熱伝導率が、例えば５３Ｗ／（ｍ・Ｋ）であるのに対して、アルミニウム製の容器２０の熱伝導率が、例えば２００Ｗ／（ｍ・Ｋ）と、缶本体１０の熱伝導率が容器２０の熱伝導率よりも低くなるように形成されている。これにより、アルミニウム製の容器２０内に収容されたろうそく３０を点火した際に、容器２０の熱伝導率が高いために、容器２０自体の温度は昇温する。しかしながら、容器２０と缶本体１０とが密着せず、容器２０の側面と缶本体１０の側面との間と、容器２０の底面２１と缶本体１０の底面１２との間とに空隙２が形成されているため、空隙２において、空気の対流が発生するとともに、熱せられて上方に流れた空気が容器２０の上端部と缶本体１０の開口部１４との間の空隙２を介して外に排出される。そのため、内側に配置された容器２０から外側に配置された熱伝導率が低い缶本体１０に熱が伝わりにくくなり、外側に配置された缶本体１０の温度が上がりにくい構造になっている。これにより、缶入りろうそく１を安全に使用することができる。
【００３０】
ここで、本考案に係る缶入りろうそくの別の実施形態として、缶入りろうそく１は、図４に示すように、缶本体１０内に収容される容器２０の上端部に、複数箇所（図４では４箇所）の切欠き２２ａを有するフランジ２２を備えるようにしても良い。ここで、フランジ２２の最大径は、缶本体１０の内周面の径よりも若干小さい程度で形成されることが好ましい。このように、容器２０の上端部にフランジ２２を備えることにより、缶入りろうそく１を傾けた際に、フランジ２２が缶本体１０の内周面に当接するため、容器２０が缶本体１０から抜け落ちてしまうことを防止することができる。また、フランジ２２に切欠き２２ａが備えられていることにより、容器２０の上端部と缶本体１０の開口部１４との間により大きな空隙２が確保されるため、ろうそく３０を点火した際に、容器２０と缶本体１０との間で発生した空気の対流により熱せられて上方に流れた空気を、より多く、容器２０の上端部と缶本体１０の開口部１４との間の空隙２を介して外に排出することができる。そのため、外側に配置された缶本体１０の温度がより上がりにくい構造になっている。これにより、缶入りろうそく１をより安全に使用することができる。
【００３１】
尚、図４に示す実施形態においては、断熱タイル２５の両表面に接着剤を塗布せず、缶本体１０の底面１２と容器２０の底面２１とを固着していなくても良い。更に、フランジ２２と切欠き２２ａの形状は、図４に示す実施形態の形状に限らず、容器２０の上端部と缶本体１０の開口部１４との間に空隙２が形成されるように、フランジ２２を変形していればどのような形状であっても良い。
【産業上の利用可能性】
【００３２】
本考案は、保存可能な缶入りろうそくに適用できる。
【符号の説明】
【００３３】
１    缶入りろうそく
２    空隙
１０  缶本体
１１  蓋体
１２  底面
２０  容器
２１  底面
２５  断熱タイル（断熱部材）
４０  マッチ（着火部材）
【図１】
0003195816.tif 000003
【図２】
0003195816.tif 000004
【図３】
0003195816.tif 000005
【図４】
0003195816.tif 000006